(57)【要約】【課題】食器洗い機のキャビネットに設けた場合でもキャビネット内部にデットスペースが発生しないポンプを提供する。【解決手段】ポンプ１０のケーシング１２は、収納室１８と吐出室２０を有し、収納室１８から吐出室２０に水が流れるための流水面６２がケーシング１２の底板１４の上面に形成され、吸込口２２が収納室１８の底面に開口し、この中央から固定軸２８が立設され、固定軸２８にはベアリングメタル３０を介して羽根車３２及び回転子４０が回転自在に配され、ケーシング１２の外側であって回転子４０の外周側に固定子４４が配され、収納室１８の上面に空気抜き用穴４２が開口している。【選択図】      図１
2005307823.tif 000002
【特許請求の範囲】
【請求項１】
ポンプのケーシングの底板に吸込口が設けられ、
前記ケーシングに一つの吐出口が設けられ、
前記ケーシング内部に羽根車が配され、
前記羽根車を回転させるモータを有するポンプにおいて、
前記ケーシングは、前記モータの回転子と前記羽根車を収納する収納室を有し、
前記吸込口が前記収納室の底面に開口し、
前記吸込口の略中央から固定軸が立設され、
前記回転子が前記固定軸に対し軸受けを介して回転自在に配され、
前記羽根車が前記回転子の下部と一体化され、
前記モータのリング状の固定子が、前記ケーシングの外側であって前記回転子が収納された収納部の外周部に配され、
前記収納室の上部に空気抜き用穴が開口している
ことを特徴とするポンプ。
【請求項２】
ポンプのケーシングの底板に一つの吸込口が設けられ、
前記ケーシングの一側面に第１吐出口が設けられ、
前記ケーシングの他側面に第２吐出口が設けられ、
前記ケーシング内部に羽根車が配され、
前記羽根車を正転または逆転させるモータを有するポンプにおいて、
前記ケーシングは、前記モータの回転子と前記羽根車を収納する収納室を有し、
前記吸込口が前記収納室の底面に開口し、
前記吸込口の略中央から固定軸が立設され、
前記回転子が前記固定軸に対し軸受けを介して回転自在に配され、
前記羽根車が前記回転子の下部と一体化され、
前記モータのリング状の固定子が、前記ケーシングの外側であって前記回転子が収納された収納部の外周部に配され、
前記収納室の上部に空気抜き用穴が開口し、
前記ケーシング内部には前記収納室から流れてきた水を前記第１吐出口、または、前記第２吐出口に流すための切替弁が設けられた
ことを特徴とするポンプ。
【請求項３】
ポンプのケーシングの底板に一つの吸込口が設けられ、
前記ケーシングの一側面に第１吐出口が設けられ、
前記ケーシングの他側面に第２吐出口が設けられ、
前記ケーシング内部に羽根車が配され、
前記羽根車を正転または逆転させるモータを有するポンプにおいて、
前記ケーシングは、前記モータの回転子と前記羽根車を収納する収納室と、前記第１吐出口と前記第２吐出口が設けられた吐出室とを有し、
前記収納室から前記吐出室に水が流れるための流水面が前記ケーシングの底板の上面に形成され、
前記吸込口が前記収納室の底面に開口し、
前記吸込口の略中央から固定軸が立設され、
前記回転子が前記固定軸に対し軸受けを介して回転自在に配され、
前記羽根車が前記回転子の下部と一体化され、かつ、前記流水面上で回転して前記吸込口から水を吸い込んで前記吐出室に流し、
前記モータのリング状の固定子が、前記ケーシングの外側であって前記回転子が収納された収納部の外周部に配され、
前記収納室の上部に空気抜き用穴が開口し、
前記吐出室には前記収納室から流れてきた水を前記第１吐出口、または、前記第２吐出口に流すための切替弁が設けられた
ことを特徴とするポンプ。
【請求項４】
前記収納室内部における前記羽根車の外周部には環状流路が形成され、
前記切替弁の一端は弁回転軸に回動自在に取り付けられ、前記弁回転軸は前記環状流路の接線上に配され、
前記羽根車が正転することにより前記環状流路を流れてきた水が前記切替弁の他端に当たり、前記切替弁を回動させて、前記第１吐出口を開口すると共に前記第２吐出口を閉塞し、
前記羽根車が逆転することにより前記環状流路を流れてきた水が前記切替弁の他端に当たり、前記切替弁を回動させて、前記第２吐出口を開口すると共に前記第１吐出口を閉塞する
ことを特徴とする請求項３記載のポンプ。
【請求項５】
前記第１吐出口及び前記第２吐出口の縁部にパッキンがそれぞれ配されている
ことを特徴とする請求項３記載のポンプ。
【請求項６】
前記第１吐出口及び前記第２吐出口に対応する切替弁にパッキンがそれぞれ配されている
ことを特徴とする請求項３記載のポンプ。
【請求項７】
前記固定子は、モールド樹脂によってモールド成形されている
ことを特徴とする請求項１から６の中で少なくとも一項に記載のポンプ。
【請求項８】
前記モータは、ブラシレスＤＣモータである
ことを特徴とする請求項１から６の中で少なくとも一項に記載のポンプ。
【請求項９】
請求項２から６の中で少なくとも一項に記載のポンプを食器洗い器のキャビネットの底部に設けられ、
前記キャビネットの底部に洗浄水及び排水が貯留され、
前記貯留された水が前記吸込口から吸い込まれ、
前記第１吐出口が洗い口に接続され、
前記第２吐出口が排水口に接続された
ことを特徴とする食器洗い機。
【発明の詳細な説明】
【技術分野】
【０００１】
本発明は、食器洗い機に用いられているポンプに関するものである。
【背景技術】
【０００２】
食器洗い機用のポンプは、洗浄水をノズルに圧送し、食器などの洗浄を行う洗浄用機能と、食器類の洗浄によって汚れた汚水を食器洗い機のキャビネットの外に排出する排出機能とを有し、これら機能をモータの正転及び逆転により切り替えている。
【０００３】
例えば、特許文献１に示されている食器洗い機のポンプは、食器洗い機のキャビネットの底部に配され、ポンプのモータの出力軸を水平方向に配し、この出力軸に取り付けられた羽根車を縦方向に回転させることにより、吸込口から吸い込んだ洗浄水をキャビネットに収納されている食器に噴射して洗浄を行っている。
【特許文献１】特開２００３−２８６９９８公報
【発明の開示】
【発明が解決しようとする課題】
【０００４】
上記のような食器洗い機用のポンプにおいては、羽根車が縦方向に回転するため、キャビネットの底部にデットスペースが多く発生するという問題点がある。
【０００５】
そこで、本発明は上記問題点に鑑み、食器洗い機のキャビネットに設けた場合でもキャビネット内部にデットスペースが発生しないポンプを提供するものである。
【課題を解決するための手段】
【０００６】
請求項１に係る発明は、ポンプのケーシングの底板に吸込口が設けられ、前記ケーシングに一つの吐出口が設けられ、前記ケーシング内部に羽根車が配され、前記羽根車を回転させるモータを有するポンプにおいて、前記ケーシングは、前記モータの回転子と前記羽根車を収納する収納室を有し、前記吸込口が前記収納室の底面に開口し、前記吸込口の略中央から固定軸が立設され、前記回転子が前記固定軸に対し軸受けを介して回転自在に配され、前記羽根車が前記回転子の下部と一体化され、前記モータのリング状の固定子が、前記ケーシングの外側であって前記回転子が収納された収納部の外周部に配され、前記収納室の上部に空気抜き用穴が開口していることを特徴とするポンプである。
【０００７】
請求項２に係る発明は、ポンプのケーシングの底板に一つの吸込口が設けられ、前記ケーシングの一側面に第１吐出口が設けられ、前記ケーシングの他側面に第２吐出口が設けられ、前記ケーシング内部に羽根車が配され、前記羽根車を正転または逆転させるモータを有するポンプにおいて、前記ケーシングは、前記モータの回転子と前記羽根車を収納する収納室を有し、前記吸込口が前記収納室の底面に開口し、前記吸込口の略中央から固定軸が立設され、前記回転子が前記固定軸に対し軸受けを介して回転自在に配され、前記羽根車が前記回転子の下部と一体化され、前記モータのリング状の固定子が、前記ケーシングの外側であって前記回転子が収納された収納部の外周部に配され、前記収納室の上部に空気抜き用穴が開口し、前記ケーシング内部には前記収納室から流れてきた水を前記第１吐出口、または、前記第２吐出口に流すための切替弁が設けられたことを特徴とするポンプである。
【０００８】
請求項３に係る発明は、ポンプのケーシングの底板に一つの吸込口が設けられ、前記ケーシングの一側面に第１吐出口が設けられ、前記ケーシングの他側面に第２吐出口が設けられ、前記ケーシング内部に羽根車が配され、前記羽根車を正転または逆転させるモータを有するポンプにおいて、前記ケーシングは、前記モータの回転子と前記羽根車を収納する収納室と、前記第１吐出口と前記第２吐出口が設けられた吐出室とを有し、前記収納室から前記吐出室に水が流れるための流水面が前記ケーシングの底板の上面に形成され、前記吸込口が前記収納室の底面に開口し、前記吸込口の略中央から固定軸が立設され、前記回転子が前記固定軸に対し軸受けを介して回転自在に配され、前記羽根車が前記回転子の下部と一体化され、かつ、前記流水面上で回転して前記吸込口から水を吸い込んで前記吐出室に流し、前記モータのリング状の固定子が、前記ケーシングの外側であって前記回転子が収納された収納部の外周部に配され、前記収納室の上部に空気抜き用穴が開口し、前記吐出室には前記収納室から流れてきた水を前記第１吐出口、または、前記第２吐出口に流すための切替弁が設けられたことを特徴とするポンプである。
【０００９】
請求項４に係る発明は、前記収納室内部における前記羽根車の外周部には環状流路が形成され、前記切替弁の一端は弁回転軸に回動自在に取り付けられ、前記弁回転軸は前記環状流路の接線上に配され、前記羽根車が正転することにより前記環状流路を流れてきた水が前記切替弁の他端に当たり、前記切替弁を回動させて、前記第１吐出口を開口すると共に前記第２吐出口を閉塞し、前記羽根車が逆転することにより前記環状流路を流れてきた水が前記切替弁の他端に当たり、前記切替弁を回動させて、前記第２吐出口を開口すると共に前記第１吐出口を閉塞することを特徴とする請求項３記載のポンプである。
【００１０】
請求項５に係る発明は、前記第１吐出口及び前記第２吐出口の縁部にパッキンがそれぞれ配されていることを特徴とする請求項３記載のポンプである。
【００１１】
請求項６に係る発明は、前記第１吐出口及び前記第２吐出口に対応する切替弁にパッキンがそれぞれ配されていることを特徴とする請求項３記載のポンプである。
【００１２】
請求項７に係る発明は、前記固定子は、モールド樹脂によってモールド成形されていることを特徴とする請求項１から６の中で少なくとも一項に記載のポンプである。
【００１３】
請求項８に係る発明は、前記モータは、ブラシレスＤＣモータであることを特徴とする請求項１から６の中で少なくとも一項に記載のポンプである。
【００１４】
請求項９に係る発明は、請求項２から６の中で少なくとも一項に記載のポンプを食器洗い器のキャビネットの底部に設けられ、前記キャビネットの底部に洗浄水及び排水が貯留され、前記貯留された水が前記吸込口から吸い込まれ、前記第１吐出口が洗い口に接続され、前記第２吐出口が排水口に接続されたことを特徴とする食器洗い機である。
【発明の効果】
【００１５】
請求項１から３に係る発明のポンプであると、縦方向の回転軸に対し羽根車は横方向に回転すると共に、吸込口がケーシングの底面に設けられた構造であるため、ポンプ全体を小型化することができると共に、このポンプを設置するためのスペースを小さくとることができる。特に、ポンプの下方に吸い込むべき水を貯留することができるため、その設置を行い易い。空気抜き用穴が収納室の上部に開口しているため、空気が逃げ易く、収納室に水が溜まり易い。そして、収納室にも水が行き渡るため、固定軸と羽根車の摺動面の空運転による焼き付けや異常摩耗を防止することができ、また、モータの冷却効果を得ることができる。
【００１６】
請求項４に係る発明のポンプであると、羽根車を正転または逆転させるだけで切替弁の切り替えを行うことができ、第１吐出口または第２吐出口から水を吐出させることができる。
【００１７】
請求項５に係る発明のポンプであると、第１吐出口及び第２吐出口の基部にパッキンをそれぞれ設けているため、切替弁でこれら吐出口を閉塞した場合に水漏れが発生しない。
【００１８】
請求項６に係る発明のポンプであると、切替弁にパッキンが設けられているため、第１吐出口または第２吐出口を閉塞した場合に水漏れが発生しない。
【００１９】
請求項７に係る発明のポンプであると、固定子がケーシングの外部に配されていても、モールド樹脂によって覆われているため防水効果を得ることができ、また、振動、騒音を低減できる。
【００２０】
請求項８に係る発明のポンプであると、ブラシレスＤＣモータによって羽根車を回転させるため、正転と逆転を簡単に行うことができ、また、可変速を容易に行うことができる。
【００２１】
請求項９に係る発明の食器洗い機であると、キャビネットの底部に洗浄用水が貯留され、この上方にポンプを配することにより、キャビネット内部にポンプを効率よく配することができ、デットスペースをなくすことができる。
【発明を実施するための最良の形態】
【００２２】
（第１の実施形態）
以下、本発明の第１の実施形態である食器洗い機１００のポンプ１０について図１から図４に基づいて説明する。
【００２３】
（１）ポンプ１０の構造
図１から図３に基づいてポンプ１０の構造について説明する。
【００２４】
ポンプ１０のケーシング１２は合成樹脂製であり、底板１４と、この底板１４に被せられるケーシング本体１６とより構成されている。ケーシング１２の平面形状は円板形状から、三角形状の部分が突出した形状であり、円筒状の収納室１８と、平面三角状の吐出室２０とに区画されている。底板１４も、このケーシング１２に対応した形状となっている。
【００２５】
底板１４の収納室１８に対応する中央部分には、円形の吸込口２２が開口している。この吸込口２２の下端は突出してフランジを形成し、吸込口２２の縁部はベルマウスを形成している。この吸込口２２の縁部から３枚の支持片２４が１２０°毎に中央に向かって突出し、これら３枚の支持片２４の中央部に皿状の軸支持部２６が設けられている。この軸支持部２６には、固定軸２８の下端が嵌合し、固定軸２８が垂直方向に立設されている。この固定軸２８の上端部は、ケーシング本体１６における収納室１８の上面に嵌合している。これによって、固定軸２８はケーシング本体１６と軸支持部２６との間に挟持された状態で固定されている。
【００２６】
固定軸２８には、ベアリングメタル３０を介して羽根車３２が配されている。この羽根車３２は、中央部が開口したリング状の基板３４に６枚の羽根３６が所定間隔毎に配されているものであり、この羽根３６は径方向に対して傾斜している。そして、羽根車３２が設けられている位置は、底板１４よりやや上方であり、羽根車３２の開口した中央部が吸込口２２のベルマウスに挿入されている。
【００２７】
羽根車３２の上部には、モータ３８の回転子４０が固定されている。この回転子４０は、Ｓ極とＮ極の永久磁石を交互にリング状に形成したものである。そして、この一体となった羽根車３２と回転子４０が円筒形の収納室１８に収納されている。また、この収納室１８の上面には、空気抜き用穴４２が開口している。
【００２８】
収納室１８の外部、すなわちケーシング１２の外部には、リング状の固定子４４が設けられている。この固定子４４は、リング状の固定子鉄心４６に樹脂によってプレモールドを施して絶縁層４８を形成し、その絶縁層の上に固定子巻線５０を巻回している。そして、これら組み上がった固定子４４をモールド樹脂によって一体に成形しリング状に構成している。このように構成したモールド成形の固定子４４を収納室１８の外部に嵌め込み、回転子４０の外方の位置に固定子４４が配される。上記で説明した回転子４０と固定子４４とでモータ３８が構成され、このモータ３８はブラシレスＤＣモータを構成している。
【００２９】
図１及び図３に示すように、羽根車３２の外周側には環状流路５２が設けられ、この環状流路５２から連続して吐出室２０が設けられている。吸込口２２から羽根車３２の回転によって吸い込まれた水は収納室１８の底板１４の上面に沿って吐出室２０に流れる。以下、この底板１４の上面を流水面６２という。
【００３０】
前記した環状流路５２の相対向する位置から接線方向に交わった位置に弁回転軸５４が設けられている。弁回転軸５４には三角形状の切替弁５６の一端が取り付けられ、切替弁５６の他端が回動する。図３において、環状流路５２の下方側には環状流路５２の外周面に沿って平面が三角形状の整流突部６４が設けられ、この整流突部６４の途中には流通溝６５が設けられている。そして、三角形状の切替弁５６の他端部には、この整流突部６４と係合するように凹部６６が設けられている。切替弁５６の高さは、図１に示すように吐出室２０と略同じ高さに形成されている。吐出室２０の一側辺には、洗い口に接続される第１吐出口５８が開口し、吐出室２０の他側面には排水口に接続される第２吐出口６０が開口している。
【００３１】
第１吐出口５８の基部と第２吐出口６０の基部にはそれぞれパッキン６８，７０が設けられている。切替弁５６が一方に回動するとパッキン７０を介して第２吐出口６０が閉塞され第１吐出口５８が開口する。切替弁５６が他方に回動するとパッキン６８を介して第１吐出口５８が閉塞され、第２吐出口６０が開口する。
【００３２】
（２）食器洗い機１００におけるポンプ１０の配置状態
次に、図４に基づいて食器洗い機１００におけるポンプ１０の配置状態について説明する。
【００３３】
ポンプ１０は、食器洗い機１００のキャビネット１０２の底部にあるポンプ配置部１１０内部に配されており、キャビネット１０２の底部は洗浄水と排水の貯留部となっている。ポンプ１０の第２吐出口６０は排水口１０４に接続され、この排水口１０４はキャビネット１０２外部に延びている。第１吐出口５８は、洗浄水を噴出するための洗浄パイプ１０６の洗い口に接続され、この洗浄パイプ１０６の先端は、洗浄水を噴き出すための噴出装置１０８に繋がっている。空気抜き用穴５２は、ポンプ配置部１１０の上面に開口している。
【００３４】
（３）ポンプ１０の動作状態
上記のように食器洗い機１００に配置されたポンプ１０の動作状態について説明する。
【００３５】
水道水等によって食器洗い機１００のキャビネット１０２の貯留部に水を貯留する。この水が洗浄水となる。
【００３６】
モータ３８を図３における時計回りの方向に回転させると、吸込口２２から洗浄水が吸い込まれ、環状流路５２を時計回りの方向に回転し流水面６２を流れて切替弁５６を図３における下方に押圧する。切替弁５６が下方に押圧されると第２吐出口６０を閉塞するように回動し、第１吐出口５８が開口し、第２吐出口６０が閉塞される。すると、羽根車３２の回転力によって第１吐出口５８から洗浄水が送り込まれ図４における噴出装置１０８から洗浄水が食器に噴出される。
【００３７】
一方、キャビネット１０２の貯留部に溜まった水を排水する場合には、モータ３８を図３における反時計回りの方向に回転させると、整流突部６４の途中にある流通溝６５に水が流れて、切替弁５６の凹部６６を押圧して、切替弁５６が上方に移動し第１吐出口５８を閉塞すると共に第２吐出口６０を開口する。これによって、水は第２吐出口６０から排水される。
【００３８】
上記の洗浄、排水の動作中においては、ケーシング１２の下面である吸込口２２から浸入した水によって空気が、空気抜き用穴４２から排出され、収納室１８の全てに水が満たされる。そのため、固定軸２８と羽根車３２との摺動面の空運転による焼き付けや異常摩耗を防止することができ、モータ３８の冷却効果も有する。
【００３９】
第１吐出口５８と第２吐出口６０の基部の縁部にパッキン６８，７０が設けられているため、切替弁５６で各口５８，６０を閉塞した場合に水漏れが発生しない。
【００４０】
図４に示すように、キャビネット１０２の底部に水を貯留することができ、ポンプ１０はキャビネット１０２の片側に配することができるため、キャビネット１０２内部を有効利用することができデットスペースを少なくすることができる。
【００４１】
固定子４４はモールド樹脂によって覆われているため、防水効果があり、ケーシング１２の外部に配されていても水によってその動作に影響を与えられることがない。
【００４２】
モータ３８がブラシレスＤＣモータであるため羽根車３２の正転及び逆転を容易に行うことができ、回転数も調整を行うことができる。
【００４３】
（第２の実施形態）
第２の実施形態のポンプ１０について図５に基づいて説明する。
【００４４】
本実施形態と第１の実施形態の異なる点は、第１吐出口５８及び第２吐出口６０を閉塞するパッキンを設けている位置にある。
【００４５】
本実施形態では図５に示すように、切替弁５６にそれぞれパッキン６８，７０を設けて、第１吐出口５８及び第２吐出口６０を閉塞する構造となっている。
【００４６】
本実施形態であっても、第１吐出口５８及び第２吐出口６０から水漏れが発生することはない。
【００４７】
（第３の実施形態）
第３の実施形態のポンプ１０について図６と図７に基づいて説明する。
【００４８】
（１）ポンプ１０の構造
本実施形態と第１の実施形態の異なる点は、第１吐出口５８及び第２吐出口６０の位置にある。
【００４９】
本実施形態では、前記した環状流路５２の相対向する位置から接線方向に交わった位置に弁回転軸５４が設けられている。弁回転軸５４には三角形状の切替弁５６の一端が取り付けられ、切替弁５６の他端が回動する。図７において、環状流路５２の上方側には環状流路５２の外周面に沿って平面が三角形状の整流突部８０が設けられている。そして、三角形状の切替弁５６の他端部には、この整流突部８０と係合するように凹部８２が設けられている。切替弁５６の一側面９４と相対向するケーシング１２の側壁８４には吐出口５８が開口し、この吐出口５８は、ケーシング１２の端部に設けられた吐出管８８に通じている。この吐出管８８は上方に延びている。切替弁５６のパッキング６８は、ケーシング１２の側壁８４に相対向する一側面９４に設けられている。
【００５０】
また、第２の吐出口６０は環状流路５２におけるケーシング１２の側壁９０に設けられている。
【００５１】
（２）ポンプ１０の動作状態
食器洗い機１００に配置されたポンプ１０の動作状態について説明する。
【００５２】
水道水等によって食器洗い機１００のキャビネット１０２の貯留部に水を貯留する。この水が洗浄水となる。
【００５３】
モータ３８を図７における時計回りの方向に回転させると、吸込口２２から洗浄水が吸い込まれ、環状流路５２を時計回りの方向に回転し流水面６２を流れて、切替弁５６の凹部８２を押して切替弁５６を図７における下方に押圧する。切替弁５６が下方に押圧されると第２吐出口６０への環状流路５２を閉塞するように回動し、第１吐出口５８が開口し、第２吐出口６０が閉塞される。すると、羽根車３２の回転力によって第１吐出口５８から洗浄水が吐出管８８に送り込まれる。
【００５４】
一方、キャビネット１０２の貯留部に溜まった水を排水する場合には、モータ３８を図３における反時計回りの方向に回転させると、切替弁５６の他側面９６を押圧して、切替弁５６が上方に移動し第１吐出口５８を閉塞する。これによって、水は第２吐出口６０から排水される。
【００５５】
上記の洗浄、排水の動作中においては、ケーシング１２の下面である吸込口２２から浸入した水によって空気が、空気抜き用穴４２から排出され、収納室１８の全てに水が満たされる。そのため、固定軸２８と羽根車３２との摺動面の空運転による焼き付けや異常摩耗を防止することができ、モータ３８の冷却効果も有する。
【００５６】
（第４の実施形態）
第４の実施形態のポンプ１０について図８と図９に基づいて説明する。
【００５７】
本実施形態と第１の実施形態の異なる点は、吐出口が二つでなく、一個のみ設けられ、それに伴って、吐出室と切替弁とを有していない点にある。
【００５８】
本実施形態では、前記した環状流路５２におけるケーシング１２の側壁９２に一個の吐出口９８が設けられている。
【００５９】
本実施形態のポンプ１０であっても、ケーシング１２の下面である吸込口２２から浸入した水によって空気が、空気抜き用穴４２から排出され、収納室１８の全てに水が満たされる。そのため、固定軸２８と羽根車３２との摺動面の空運転による焼き付けや異常摩耗を防止することができ、モータ３８の冷却効果も有する。
【００６０】
（変更例）
本発明は上記各実施形態に限らず、その主旨を逸脱しない限り種々に変更することができる。
【００６１】
（１）変更例１
上記実施形態では回転子４０と羽根車３２とを別体に構成し、その後一体に固定したが、これに代えて羽根車３２と回転子４０とをプラスチックマグネットで一体に成形してもよい。
【００６２】
（２）変更例２
切替弁の材質は、合成樹脂で形成してもよく、または、ゴムによって形成してもよい。
【産業上の利用可能性】
【００６３】
本発明は、食器洗い機用のポンプに好適である。
【図面の簡単な説明】
【００６４】
【図１】第１の実施形態を示すポンプの縦断面図である。
【図２】同じくポンプの正面図である。
【図３】図１におけるＡ−Ａ線断面図である。
【図４】ポンプを配した状態の食器洗い機の縦断面図である。
【図５】第２の実施形態のポンプの横断面図である。
【図６】第３の実施形態を示すポンプの縦断面図である。
【図７】同じくポンプの横断面図である。
【図８】第４の実施形態を示すポンプの縦断面図である。
【図９】同じくポンプの横断面図である。
【符号の説明】
【００６５】
１０  ポンプ
１２  ケーシング
１４  底板
１６  ケーシング本体
１８  収納室
２０  吐出室
２２  吸込口
２８  固定軸
３２  羽根車
３８  モータ
４０  回転子
４２  空気抜き用穴
４４  固定子
５２  環状流路
５４  弁回転軸
５６  切替弁
５８  第１吐出口
６０  第２吐出口
６２  流水面
６８  パッキン
７０  パッキン
１００  食器洗い機
１０２  キャビネット
１０４  排水口
１０６  洗浄パイプ
１０８  噴出装置
【図１】
2005307823.tif 000003
【図２】
2005307823.tif 000004
【図３】
2005307823.tif 000005
【図４】
2005307823.tif 000006
【図５】
2005307823.tif 000007
【図６】
2005307823.tif 000008
【図７】
2005307823.tif 000009
【図８】
2005307823.tif 000010
【図９】
2005307823.tif 000011